(57)【要約】【課題】肌に貼付しても目立つことがなく、そのうえ、皮膚の弱い人でも貼付後にムレやかぶれが発生することを抑制することができる改良された磁気治療器を提供することである。【解決手段】１または２以上の薄い通気性を有する透明の基層、該基層の下面に設けられた、肌への刺激が少ない材料からなる下部粘着剤層、該下部粘着剤層上に設けられた粒状磁石体および下部剥離シート、および前記基層の上面に上部粘着剤層を介して設けられた上部剥離紙を備え、前記上部剥離紙に切れ目が設けられてなることを特徴としている。【選択図】図１
2005296455.tif 000002
【特許請求の範囲】
【請求項１】
１または２以上の薄い通気性を有する透明の基層、
該基層の下面に設けられた、肌への刺激が少ない材料からなる下部粘着剤層、
該下部粘着剤層上に設けられた粒状磁石体および下部剥離シート、および
前記基層の上面に上部粘着剤層を介して設けられた上部剥離紙
を備えた磁気治療器であって、
前記上部剥離紙に切れ目が設けられてなる
ことを特徴とする磁気治療器。
【請求項２】
前記基層の厚さが約３０μｍである請求項１記載の磁気治療器。
【請求項３】
前記切れ目が波状に形成されてなる請求項１または２記載の磁気治療器。
【請求項４】
前記下部粘着剤層がアクリル系粘着剤からなる請求項１、２または３記載の磁気治療器。
【請求項５】
前記基層および上部剥離紙がほぼ円形を呈している請求項１、２、３または４記載の磁気治療器。
【請求項６】
前記基層および上部剥離紙がほぼ楕円形を呈している請求項１、２、３または４記載の磁気治療器。
【請求項７】
前記基層および上部剥離紙がほぼ長方形を呈している請求項１、２、３または４記載の磁気治療器。
【請求項８】
前記基層および上部剥離紙がほぼ正方形を呈している請求項１、２、３または４記載の磁気治療器。
【請求項９】
薄い通気性を有する透明の基層の下面に設けられた、肌への刺激が少ない材料からなる下部粘着剤層と、
該下部粘着剤層上のほぼ中央部に設けられた磁性体シートと、
前記基層の上面に上部粘着剤層を介して設けられた上部剥離紙と
を備えた磁気治療器であって、
前記磁性体シートは、Ｓ極とＮ極とが交互に着磁され、
前記下部粘着剤層の両端部それぞれに、取り外し自在に下部剥離紙の一端部が貼着され、
前記磁性体シート２が前記下部剥離紙の他端部に覆われおり、
前記上部剥離紙に切れ目が設けられてなる
磁気治療器。
【請求項１０】
上部剥離紙と透明の基層とがロール状に巻かれた素材を繰り出しつつ、該基層の上部剥離紙と反対側から下部剥離シートを押し付けて貼り合わせる工程と、
前記上部剥離紙に切れ目を設け、同時に絆創膏として使用する円形の外形部を打ち抜く工程と、
前記下部剥離シートに切れ目を設け、同時に粒状磁石体を設ける部分の穴を開口する工程と、
前記上部剥離紙の不要部分を除去する工程と、
前記下部剥離シートの不要部分を除去して、穴を設ける工程と、
前記下部剥離シートの穴に粒状磁石体を設ける工程
とを含む磁気治療器の製法。
【発明の詳細な説明】
【技術分野】
【０００１】
本発明はピップエレキバン（登録商標）と称する磁気治療器の改良に関する。さらに詳しくは、薄い通気性を有する透明の基層の下面に設けられた、肌への刺激の少ない材料からなる粘着剤層の上に粒状磁石体と下部剥離シートを備え、当該基層の上面に粘着剤層を介して、切り目が設けられた上部剥離紙を備えた磁気治療器に関する。
【背景技術】
【０００２】
従来の磁気治療器（ピップエレキバン（登録商標））は、直径約２０ｍｍの布製の基材の下面に設けられた粘着剤層のほぼ中央に８０〜１８０ミリテスラの磁場の強さを有する直径約５ｍｍ、厚さ約２．５ｍｍのフェライト磁石からなる円盤状を呈した粒状磁石体が設けられ、当該粒状磁石体を除く粘着剤層上に剥離紙が取り外し自在に設けられている。
【０００３】
また、特許文献１には、ポリウレタンで形成された粘着性シート基材１と、基材１の接着面のほぼ中央部に設けられた１７ｍｍ×２６ｍｍ×０．７ｍｍの長方形の磁性体シート２とを備え、磁性体シート２はＳ極とＮ極とが交互に着磁されており、基材１の接着面の両端部に取り外し自在に剥離紙３、３の一端部が貼着され、磁性体シート２が剥離紙３、３の他端部に覆われてなる救急絆創膏型の磁気治療器が開示されている（図１１参照）。
【０００４】
【特許文献１】特開平１１−２９０４６５号公報
【発明の開示】
【発明が解決しようとする課題】
【０００５】
如上の従来の磁気治療器（ピップエレキバン（登録商標））の場合、基層が比較的厚く（約０．１ｍｍ）そのうえ透明でないので、肌の色に近い色で着色されてはいるものの、首などの露出部分に貼付されたときに、どうしも目立つという欠点がある。また、皮膚の弱い人の場合は粘着剤自体、かぶれやムレが生じる場合もあるという欠点がある。
【０００６】
一方、前記特許文献１に開示された磁気治療器の場合、磁気治療器を肌に貼付した際に目立つという課題を解決するために、粒状磁石体に代えて磁性シートを採用した救急絆創膏型であるので、従来の磁気治療器（ピップエレキバン（登録商標））を貼付したときのように、使用者の年齢が高くみられるようなことは避けられるが、基層自体が透明でないので、目立つという欠点は完全には解消できない。
【０００７】
本発明の目的は、従来の磁気治療器の欠点を解消し、肌に貼付しても目立つことがなく、そのうえ、皮膚の弱い人でも貼付後にムレやかぶれが発生することを抑制することができる改良された磁気治療器を提供することである。
【課題を解決するための手段】
【０００８】
本発明の磁気治療器は、１または２以上の薄い通気性を有する透明の基層、
該基層の下面に設けられた、肌への刺激が少ない材料からなる下部粘着剤層、
該下部粘着剤層上に設けられた粒状磁石体および下部剥離シート、および
前記基層の上面に上部粘着剤層を介して設けられた上部剥離紙
を備え、
前記上部剥離紙に切れ目が設けられてなる
ことを特徴としている。
【０００９】
また、前記基層の厚さが約３０μｍであることが好ましい。
【００１０】
また、前記切れ目が波状に形成されてなることが好ましい。
【００１１】
また、前記下部粘着剤層がアクリル系粘着剤からなることが好ましい。
【００１２】
また、前記基層および上部剥離紙がほぼ円形を呈していることが好ましい。
【００１３】
また、前記基層および上部剥離紙がほぼ楕円形を呈するようにしてもよい。
【００１４】
また、前記基層および上部剥離紙がほぼ長方形を呈するようにしてもよい。
【００１５】
また、前記基層および上部剥離紙がほぼ正方形を呈するようにしてもよい。
【００１６】
本発明の他の態様の磁気治療器は、薄い通気性を有する透明の基層の下面に設けられた、肌への刺激が少ない材料からなる下部粘着剤層と、
該下部粘着剤層上のほぼ中央部に設けられた磁性体シートと、
前記基層の上面に上部粘着剤層を介して設けられた上部剥離紙と
を備えた磁気治療器であって、
前記磁性体シートは、Ｓ極とＮ極とが交互に着磁され、
前記下部粘着剤層の両端部それぞれに、取り外し自在に下部剥離紙の一端部が貼着され、
前記磁性体シート２が前記下部剥離紙の他端部に覆われおり、
前記上部剥離紙に切れ目が設けられてなる
ことを特徴としている。
【００１７】
本発明の他の態様は、上部剥離紙と透明の基層とがロール状に巻かれた素材を繰り出しつつ、該基層の上部剥離紙と反対側から下部剥離シートを押し付けて貼り合わせる工程と、
前記上部剥離紙に切れ目を設け、同時に絆創膏として使用する円形の外形部を打ち抜く工程と、
前記下部剥離シートに切れ目を設け、同時に粒状磁石体を設ける部分の穴を開口する工程と、
前記上部剥離紙の不要部分を除去する工程と、
前記下部剥離シートの不要部分を除去して、穴を設ける工程と、
前記下部剥離シートの穴に粒状磁石体を設ける工程
とを含む磁気治療器の製法である。
【発明の効果】
【００１８】
本発明の磁気治療器によれば、薄い通気性を有する透明の基層と、該基層の下面に設けられた、肌への刺激が少ない材料からなる下部粘着剤層とを構成上の特徴としているので、磁気治療器を肌に貼付しても目立つことはなく、皮膚の弱い人でもかぶれやムレの発生を抑制することができる。さらに、本発明の磁気治療器は、基層の上面に上部粘着剤層を介して上部剥離紙が設けられた基材が薄いにもかかわらず、貼付時に下部粘着剤層同士が互いにくっついたり、しわになったりしにくいという利点がある。また、上部剥離紙に切れ目が設けられているため、粒状磁石体による押し上げ作用により身体のうち、背中や耳の後側など目で確かめることができない部位にも容易に貼付できる。
【発明を実施するための最良の形態】
【００１９】
実施の形態１
本発明の磁気治療器について添付図面を参照しながら以下に詳細に説明する。
【００２０】
図１は本発明の一実施の形態にかかわる磁気治療器を示す斜視図、図２は図１の磁気治療器の正面図、図３は本発明の他の実施の形態にかかわる磁気治療器の断面説明図および要部説明図、図４は図１の磁気治療器の背面説明図、図５および図６は本発明の磁気治療器の皮膚への貼着方法を示す説明図、図７は本発明の磁気治療器の上部剥離紙の変形例を示す説明図である。
【００２１】
図３を参照すると、本発明の磁気治療器１０は、薄い通気性を有する透明の基層１１と、基層１１の下面に設けられた、肌への刺激が少ない材料からなる下部粘着剤層１３と、下部粘着剤層１３上に設けられた粒状磁石体１４と、下部剥離シート１５と、基層１１の上面に上部粘着剤層１２ａを介して設けられた上部剥離紙１２とから構成されており、上部剥離紙１２には切れ目１６が設けられている。
【００２２】
図１、２および４には、図３に示されたとおりの構造を有する磁気治療器１０を６つ備えたものが示されている。しかしながら、本発明の磁気治療器は、図１または３に示されたような数に限られることはなく、たとえば、２、３、４、５、７、８、９または１０であってもよい。
【００２３】
本実施の形態の磁気治療器１０の場合、基層１１の素材としては、たとえば、テガダーム（Tegaderm、米国ミネソタ州セントポールのミネソタ・マイニング・アンド・マニュファクチュアリング・カンパニーの登録商標）が好適に採用される。テガダーム（登録商標）は、厚さ約３０μｍの透明な薄いポリウレタンフィルムであり、水蒸気に対する透過性を有しているが、水（液体）や細菌を透過させないという特徴を有している。また、テガダーム（登録商標）の一方の面には、耐水性を有するアクリル系粘着剤が塗布されており（この粘着剤が本発明の下部粘着剤層として機能する）、当該粘着剤の上にライナー（liner、本発明の下部剥離シートとして機能する）が貼付されている。
【００２４】
本実施の形態の磁気治療器１０に用いられる粒状磁石体１４は、前述のピップエレキバン（登録商標）に用いられているものと同じもので、８０〜１８０ミリテスラの磁場の強さを有する直径約５ｍｍ、厚さ約２．５ｍｍのフェライト磁石からなる円盤状を呈したものである。
【００２５】
図１〜２を参照すると、本実施の形態の磁気治療器１０の上部剥離紙１２に設けられる切れ目は、磁気治療器を肌に貼付したときに切れ目１６に沿う上部剥離紙１２の端縁が自然に持ち上がるように剥離する量と、指で摘むときの把持の容易さの観点から、波状の切れ目が好ましい。しかし、本発明の磁気治療器の上部剥離紙１２に設けられる切れ目１６は、図１および２に示されるような波状の切れ目に限られることはなく、たとえば図７において、（ａ）に示されるような略Ｕ字状の切れ目１６、（ｂ）に示されるような上部剥離紙１２の中心より上方に設けられた波状の切れ目１６、（ｃ）に示されるような上部剥離紙１２を２分割するように設けられ、波の山と谷がそれぞれ１つづつ現れるような波状の切れ目１６、（ｄ）に示されるような弦のような切れ目１６を採用することも可能である。また、上部剥離紙１２の外形形状は、図１〜２に示すような円形に限られることはなく、たとえば、楕円形、三角形、四角形（長方形、正方形またはひし形を含む）、５角形、六角形などの多角形を採用することもできる。
【００２６】
つぎに、本発明の磁気治療器の皮膚への貼付方法について図３、５および６を用いて説明する。
【００２７】
まず、図３に示される下部剥離シート１５を除去すると、下部粘着剤層１３が露出する。このとき、上部剥離紙１２が支持体として機能するため、基層１１は、厚さが約３０μｍの薄いフィルムであるにもかかわらず、下部接着剤層１１が互いにくっついたり、しわがよることなく、下部剥離シート１５を除去した磁気治療器を指でつまみながら、皮膚Ｓに貼付することができる（図５参照）。
【００２８】
磁気治療器を皮膚Ｓに貼付すると、粒状磁石体１４には厚さ（約２．５ｍｍ）があるので、図５に示されるように、上部剥離シート１２の切れ目に沿って、端縁が持ち上がるように自然に剥離する。
【００２９】
ついで、上部剥離紙１２の持ち上がった端縁を指でつまんで上部剥離紙１２を剥がすと（図６参照）、磁気治療器の皮膚Ｓへの貼付が完了する。
【００３０】
つぎに、図８〜１０を参照しながら、本発明の磁気治療器の製法について説明する。
工程（ａ）：まず、図８に示されるように、上部剥離紙１２と透明の基層１１とがロール状に巻かれた素材Ｍを繰り出しつつ、基層１１の上部剥離紙と反対側から下部剥離シート１５を押し付けて貼り合わせる（なお、素材の段階で基層１１には、下部粘着剤層１３がすでに設けられている）。
工程（ｂ）：上部剥離紙１２に切れ目１６を設け（このとき、透明の基層１１は切断しない）、同時に絆創膏として使用する円形の外形部を打ち抜く（図９参照）。
工程（ｃ）：下部剥離シート１５に切れ目ＨＣを設け（このとき、透明の基層１１は切断しない）、（図１０参照）、同時に粒状磁石体を設ける部分の穴を開口する。
工程（ｄ）：上部剥離紙１２の不要部分１２ｒを除去する（図９参照）。
工程（ｅ）：下部剥離シート１５の不要部分１５ｒを除去して、穴を設ける（図１０参照）。
工程（ｆ）：下部剥離シート１５の穴に粒状磁石体を設ける。
こうして、本発明の磁気治療器が得られる。
【００３１】
実施の形態２
本発明の磁気治療器の基層１１は、前述の特許文献１に記載された磁気治療器に適用することも可能である。
【００３２】
この場合、磁気治療器は、テガダーム（登録商標）からなる下部粘着剤層と、該下部粘着剤層上のほぼ中央部に設けられた磁性体シートと、基層の上面に上部粘着剤層を介して設けられた上部剥離紙とから構成される。磁性体シートは、Ｓ極とＮ極とが交互に着磁され、前記下部粘着剤層の両端部それぞれに、取り外し自在に下部剥離紙の一端部が貼着され、前記磁性体シート２が前記下部剥離紙の他端部に覆われるようにすればよい。また、前記上部剥離紙には、実施の形態１と同様に切れ目が設けている。
【図面の簡単な説明】
【００３３】
【図１】本発明の一実施の形態にかかわる磁気治療器を示す斜視図である。
【図２】図１の磁気治療器の正面図である。
【図３】図１の磁気治療器の変形例を示す断面説明図および要部説明図である。
【図４】図１の磁気治療器の背面説明図である。
【図５】本発明の磁気治療器の皮膚への貼着方法を示す説明図である。
【図６】本発明の磁気治療器の皮膚への貼着方法を示す説明図である。
【図７】本発明の磁気治療器の上部剥離紙の変形例を示す説明図である。
【図８】本発明の磁気治療器の製造工程を示す説明図である。
【図９】本発明の磁気治療器の製造工程を示す説明図である。
【図１０】本発明の磁気治療器の製造工程を示す説明図である。
【図１１】従来の磁気治療器を示す説明図である。
【符号の説明】
【００３４】
１  粘着性シート基材
２  磁性体シート
３  剥離紙
１０  磁気治療器
１１  基層
１２  上部剥離紙
１２ｒ上部剥離紙の不要部
１３  下部粘着剤層
１４  粒状磁石体
１５  下部剥離シート
１５ｒ下部剥離シートの不要部
１６  切れ目
Ｓ  皮膚
【図１】
2005296455.tif 000003
【図２】
2005296455.tif 000004
【図３】
2005296455.tif 000005
【図４】
2005296455.tif 000006
【図５】
2005296455.tif 000007
【図６】
2005296455.tif 000008
【図７】
2005296455.tif 000009
【図８】
2005296455.tif 000010
【図９】
2005296455.tif 000011
【図１０】
2005296455.tif 000012
【図１１】
2005296455.tif 000013